(57)【要約】  ネットワークノード（３００ａ）は、ネットワークノード（３００ａ）とさらなるネットワークノード（３００ｂ）との間のインターフェース上で、それぞれネットワークノード（３００ａ）およびさらなるネットワークノード（３００ｂ）に対するインターフェース上のユーザ機器（ＵＥ）識別のためのペアにされたＵＥ識別子を備えるメッセージを受信する。ネットワークノード（３００ａ）に対するＵＥ識別のための識別子がネットワークノード（３００ａ）に対してＵＥ（１５０）を一意に識別することを決定したことに応答して、ネットワークノード（３００ａ）は、さらなるネットワークノード（３００ｂ）に対するＵＥ識別のための識別子がさらなるネットワークノード（３００ｂ）に対してそのＵＥ（１５０）を一意に識別するかどうかとは無関係に、メッセージの有効性を確認する。【選択図】図２
2021515452.tif 000002
【特許請求の範囲】
【請求項１】
ネットワークノード（３００ａ）によって実行されるメッセージ有効性確認の方法（２００）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信すること（２１０）と、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認すること（２２０）と
を含む方法。
【請求項２】
前記メッセージの有効性を確認することは、さらに、前記ペアにされた識別子が前記ネットワークノード（３００ａ）に知られている前記ＵＥ（１５０）の論理接続を一緒に識別することを決定したことに応答する、請求項１に記載の方法。
【請求項３】
前記ネットワークノード（３００ａ）が無線アクセスネットワークノード（１４０）である、請求項１または２に記載の方法。
【請求項４】
前記ネットワークノード（３００ａ）がコアネットワークノード（１３０）である、請求項１または２に記載の方法。
【請求項５】
前記さらなるネットワークノード（３００ｂ）が無線アクセスネットワークノード（１４０）である、請求項１から４のいずれか一項に記載の方法。
【請求項６】
前記さらなるネットワークノード（３００ｂ）がコアネットワークノード（１３０）である、請求項１から４のいずれか一項に記載の方法。
【請求項７】
ネットワークノード（３００ａ）によって実行されるエラー検出の方法（２３０）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信すること（２４０）と、
前記さらなるネットワークノード（３００ｂ）に対するＵＥ識別のための前記識別子が前記さらなるネットワークノード（３００ｂ）に対してＵＥ（１５０）を一意に識別するかどうかとは無関係に、
前記ネットワークノード（３００ａ）に対するＵＥ識別のための前記識別子が前記ネットワークノード（３００ａ）に対してＵＥ（１５０）を一意に識別することができないことを決定したこと、および
前記ペアにされたＵＥ識別子が前記ネットワークノード（３００ａ）に知られている論理ＵＥ接続を一緒に識別することができないことを決定したこと
のうちの少なくとも１つに応答して、前記メッセージが無効であることを決定すること（２５０）と
を含む方法。
【請求項８】
前記さらなるネットワークノード（３００ｂ）によって、前記ペアにされた識別子のうちの少なくとも１つによって識別されるＵＥ（１５０）の論理接続の解放をトリガするためのエラー指示プロシージャを開始することをさらに含む、請求項７に記載の方法。
【請求項９】
前記ペアにされたＵＥ識別子が前記ネットワークノード（３００ａ）に知られている前記論理ＵＥ接続を一緒に識別することができないことを決定したことに応答して、前記ネットワークノード（３００ａ）に対するＵＥ識別のための前記識別子によって識別されるＵＥ（１５０）の論理接続を解放することをさらに含む、請求項７または８に記載の方法。
【請求項１０】
前記ネットワークノード（３００ａ）が無線アクセスネットワークノード（１４０）である、請求項７から９のいずれか一項に記載の方法。
【請求項１１】
前記ネットワークノード（３００ａ）がコアネットワークノード（１３０）である、請求項７から９のいずれか一項に記載の方法。
【請求項１２】
前記さらなるネットワークノード（３００ｂ）が無線アクセスネットワークノード（１４０）である、請求項７から１１のいずれか一項に記載の方法。
【請求項１３】
前記さらなるネットワークノード（３００ｂ）がコアネットワークノード（１３０）である、請求項７から１１のいずれか一項に記載の方法。
【請求項１４】
ネットワークノード（３００ａ）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信することと、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認することと
を行うように設定されたネットワークノード（３００ａ）。
【請求項１５】
さらに、請求項２から６のいずれか一項に記載の方法（２００）を実行するように設定された、請求項１４に記載のネットワークノード。
【請求項１６】
処理回路（３１０）とメモリ（３３０）とを備えるネットワークノード（３００ａ）であって、前記メモリ（３３０）が、前記処理回路（３１０）によって実行可能な命令を含んでおり、それにより、前記ネットワークノード（３００ａ）が、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信することと、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認することと
を行うように設定された、ネットワークノード（３００ａ）。
【請求項１７】
さらに、請求項２から６のいずれか一項に記載の方法（２００）を実行するように設定された、請求項１６に記載のネットワークノード（３００ａ）。
【請求項１８】
ネットワークノード（３００ａ）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信することと、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認することと
を行うように設定されたネットワークノード（３００ａ）。
【請求項１９】
さらに、請求項８から１３のいずれか一項に記載の方法（２３０）を実行するように設定された、請求項１８に記載のネットワークノード（３００ａ）。
【請求項２０】
処理回路（３１０）とメモリ（３３０）とを備えるネットワークノード（３００ａ）であって、前記メモリ（３３０）が、前記処理回路（３１０）によって実行可能な命令を含んでおり、それにより、前記ネットワークノード（３００ａ）が、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信することと、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認することと
を行うように設定された、ネットワークノード（３００ａ）。
【請求項２１】
さらに、請求項８から１３のいずれか一項に記載の方法（２３０）を実行するように設定された、請求項２０に記載のネットワークノード。
【請求項２２】
ネットワークノード（３００）の処理回路（３１０）上で実行されたとき、前記処理回路（３１０）に請求項１から１３のいずれか一項に記載の方法（２００、２３０）を実行させる命令を備える、コンピュータプログラム。
【請求項２３】
請求項２２に記載のコンピュータプログラムを含んでいるキャリアであって、電子信号、光信号、無線信号、またはコンピュータ可読記憶媒体のうちの１つであるキャリア。
【発明の詳細な説明】
【技術分野】
【０００１】
関連出願
本出願は、その内容全体が参照により本明細書に組み込まれる、２０１８年２月２２日に出願された米国仮特許出願第６２／６３４１４４号の優先権を主張する。
【０００２】
本開示は、一般に、無線通信ネットワークの分野に関し、より詳細には、ネットワークノード間のインターフェースに関するメッセージ評価に関する。
【背景技術】
【０００３】
ロングタームエボリューション（ＬＴＥ）規格によれば、ｅノードＢ（ｅＮＢ、基地局の一種）またはモビリティ管理エンティティ（ＭＭＥ）のいずれかにおいて新しいユーザ機器（ＵＥ）関連の論理接続が作成されるとき、アプリケーションプロトコル識別情報（ＡＰ  ＩＤ）が割り当てられる。ＡＰ  ＩＤは、所与のノード（すなわち、ｅＮＢまたはＭＭＥ）内のＳ１インターフェース（すなわち、ｅＮＢとＭＭＥとの間）またはＸ２インターフェース（すなわち、ｅＮＢ間）上でユーザ機器（ＵＥ）に関連する論理接続を一意に識別する。論理Ｓ１接続または論理Ｘ２接続上では、ＵＥに関連する制御プレーンメッセージ（Ｓ１ＡＰ、Ｘ２ＡＰ）が送信される。この接続は、Ｓ１／Ｘ２ピアノード間の第１のＳ１／Ｘ２ＡＰメッセージ交換中に確立される。接続は、一般に、ＵＥ関連のＳ１／Ｘ２ＡＰメッセージがＳ１／Ｘ２上で交換される必要がある限り、維持される。ＵＥ関連の論理Ｓ１接続は識別情報ＭＭＥ  ＵＥ  Ｓ１ＡＰ  ＩＤおよびｅＮＢ  ＵＥ  Ｓ１ＡＰ  ＩＤを使用する。ＵＥ関連の論理Ｘ２接続は識別情報Ｏｌｄ  ｅＮＢ  ＵＥ  Ｘ２ＡＰ  ＩＤおよびＮｅｗ  ｅＮＢ  ＵＥ  Ｘ２ＡＰ  ＩＤを使用する。ノード（ＭＭＥまたはｅＮＢ）がＵＥ関連のＳ１／Ｘ２ＡＰメッセージを受信すると、ノードは、Ｓ１／Ｘ２ＡＰ  ＩＤに基づいて関連するＵＥを取得する。
【０００４】
この初期メッセージ交換は「第１のメッセージ」と「第１の返信メッセージ」とを含む。送信ノードから新しいＡＰ  ＩＤを有する「第１のメッセージ」を受信すると、受信ノードは、論理接続の持続時間の間、送信ノードによって与えられたＡＰ  ＩＤを記憶する。受信ノードは、ＵＥに関連する論理接続を識別するために使用されるべきそれ自体のＡＰ  ＩＤをアサインし、それ自体のＡＰ  ＩＤ、ならびに送信ノードからの前に受信された新しいＡＰ  ＩＤを送信ノードへの「第１の返信メッセージ」中に含める。この論理接続に関する送信ノードへのメッセージおよび送信ノードからのメッセージは、その後、これらのＡＰ  ＩＤの両方（すなわち、送信ノードのＡＰ  ＩＤおよび受信ノードのＡＰ  ＩＤ）を含む。送信ノードおよび受信ノードは、その後、たとえば、メッセージルーティングの目的のために、これらのメッセージのＡＰ  ＩＤを検査する。
【０００５】
（Ｓ１インターフェースおよび／またはＸ２インターフェースに関する）上記とは対照的に、３ＧＰＰ仕様ＴＳ３８．４１３は、たとえば、ＵＥ関連の論理接続についてＡＰ  ＩＤエラーが検出されたときの、次世代アプリケーションプロトコル（ＮＧＡＰ）インターフェース上のＡＰ  ＩＤに関係する挙動を指定し、同様の原理がＸｎＡＰインターフェースに当てはまる。実際には、ローカルＡＰ  ＩＤ上のノードルーティングにおいてエラーケースを検出するために必要な検査を行うためのコストはかなり高くなり得、指定されたＡＰ  ＩＤ処理を実行するための実装が性能に悪影響を及ぼし得る。１つまたは複数の他のエラーケースが、追加または代替として、性能に悪影響を及ぼし得る。
【発明の概要】
【０００６】
本開示の実施形態は、ネットワークノード間のメッセージ中のペアにされたＵＥ識別子を効率的に評価することを対象とする。ペアにされたＵＥ識別子は、ネットワークノードに対するインターフェース上のＵＥ識別のためのＵＥ識別子と、さらなるネットワークノードに対するインターフェース上のＵＥ識別のための別のＵＥ識別子とを備える。特に、ネットワークノードは、様々な実施形態によれば、ＵＥ識別のための識別子がさらなるネットワークノードに対してＵＥを一意に識別するかどうかとは無関係に、有効性を確認（またはメッセージが無効であることを決定）し得る。
【０００７】
より詳細には、本開示の実施形態は、ネットワークノードによって実行されるメッセージ有効性確認の方法を含む。本方法は、ネットワークノードとさらなるネットワークノードとの間のインターフェース上で、それぞれネットワークノードおよびさらなるネットワークノードに対するインターフェース上のユーザ機器（ＵＥ）識別のためのペアにされたＵＥ識別子を備えるメッセージを受信することを含む。本方法は、ネットワークノードに対するＵＥ識別のための識別子がネットワークノードに対してＵＥを一意に識別することを決定したことに応答して、さらなるネットワークノードに対するＵＥ識別のための識別子がさらなるネットワークノードに対してそのＵＥを一意に識別するかどうかとは無関係に、メッセージの有効性を確認することをさらに含む。
【０００８】
いくつかの実施形態では、メッセージの有効性を確認することは、さらに、ペアにされた識別子がネットワークノードに知られているＵＥの論理接続を一緒に識別することを決定したことに応答する。
【０００９】
追加または代替として、いくつかの実施形態では、ネットワークノードが無線アクセスネットワークノードである。他の実施形態では、ネットワークノードがコアネットワークノードである。
【００１０】
追加または代替として、いくつかの実施形態では、さらなるネットワークノードが無線アクセスネットワークノードである。他の実施形態では、さらなるネットワークノードがコアネットワークノードである。
【００１１】
他の実施形態は、メッセージ有効性確認を実行するためのネットワークノードを含む。ネットワークノードは、ネットワークノードとさらなるネットワークノードとの間のインターフェース上で、それぞれネットワークノードおよびさらなるネットワークノードに対するインターフェース上のＵＥ識別のためのペアにされたＵＥ識別子を備えるメッセージを受信するように設定される。ネットワークノードは、さらに、ネットワークノードに対するＵＥ識別のための識別子がネットワークノードに対してＵＥを一意に識別することを決定したことに応答して、さらなるネットワークノードに対するＵＥ識別のための識別子がさらなるネットワークノードに対してそのＵＥを一意に識別するかどうかとは無関係に、メッセージの有効性を確認するように設定される。
【００１２】
いくつかの実施形態では、ネットワークノードはプロセッサとメモリとを備える。メモリは、プロセッサによって実行可能な命令を含んでおり、それにより、ネットワークノードは、受信することと、決定することと、有効性を確認することとを実行するように動作可能である。
【００１３】
いくつかの実施形態では、ネットワークノードは、上記で説明したメッセージ有効性確認のネットワークノード方法のいずれかを実行するように設定される。
【００１４】
他の実施形態は、ネットワークノードによって実行されるエラー検出の方法を含む。本方法は、ネットワークノードとさらなるネットワークノードとの間のインターフェース上で、それぞれネットワークノードおよびさらなるネットワークノードに対するインターフェース上のＵＥ識別のためのペアにされたＵＥ識別子を備えるメッセージを受信することを含む。本方法は、さらなるネットワークノードに対するＵＥ識別のための識別子がさらなるネットワークノードに対してＵＥを一意に識別するかどうかとは無関係に、ネットワークノードに対するＵＥ識別のための識別子がネットワークノードに対してＵＥを一意に識別することができないことを決定したこと、または、ペアにされたＵＥ識別子がネットワークノードに知られている論理ＵＥ接続を一緒に識別することができないことを決定したことのうちの少なくとも１つに応答して、メッセージが無効であることを決定することをさらに含む。
【００１５】
いくつかの実施形態では、本方法は、さらなるネットワークノードによって、ペアにされた識別子のうちの少なくとも１つによって識別されるＵＥの論理接続の解放をトリガするためのエラー指示プロシージャを開始することをさらに含む。
【００１６】
追加または代替として、いくつかの実施形態では、本方法は、ペアにされたＵＥ識別子がネットワークノードに知られている論理ＵＥ接続を一緒に識別することができないことを決定したことに応答して、ネットワークノードに対するＵＥ識別のための識別子によって識別されるＵＥの論理接続を解放することをさらに含む。
【００１７】
追加または代替として、いくつかの実施形態では、ネットワークノードが無線アクセスネットワークノードである。他の実施形態では、ネットワークノードがコアネットワークノードである。
【００１８】
追加または代替として、いくつかの実施形態では、さらなるネットワークノードが無線アクセスネットワークノードである。他の実施形態では、さらなるネットワークノードがコアネットワークノードである。
【００１９】
他の実施形態は、エラー検出を実行するためのネットワークノードを含む。ネットワークノードは、ネットワークノードとさらなるネットワークノードとの間のインターフェース上で、それぞれネットワークノードおよびさらなるネットワークノードに対するインターフェース上のＵＥ識別のためのペアにされたＵＥ識別子を備えるメッセージを受信するように設定される。ネットワークノードは、さらなるネットワークノードに対するＵＥ識別のための識別子がさらなるネットワークノードに対してＵＥを一意に識別するかどうかとは無関係に、ネットワークノードに対するＵＥ識別のための識別子がネットワークノードに対してＵＥを一意に識別することができないことを決定したこと、または、ペアにされたＵＥ識別子がネットワークノードに知られている論理ＵＥ接続を一緒に識別することができないことを決定したことのうちの少なくとも１つに応答して、メッセージが無効であることを決定するようにさらに設定される。
【００２０】
いくつかの実施形態では、ネットワークノードはプロセッサとメモリとを備える。メモリは、プロセッサによって実行可能な命令を含んでおり、それにより、ネットワークノードは、受信することと、決定することとを実行するように動作可能である。
【００２１】
いくつかの実施形態では、ネットワークノードは、上記で説明したエラー検出のネットワークノード方法のいずれかを実行するように設定される。
【００２２】
他の実施形態は、ネットワークノード（たとえば、無線アクセスノードまたはコアネットワークノード）の少なくとも１つのプロセッサ上で実行されたとき、少なくとも１つのプロセッサに上記で説明した方法のいずれかを実行させる命令を備えるコンピュータプログラムを含む。
【００２３】
他の実施形態は、先行する請求項のコンピュータプログラムを含んでいるキャリアを含み、キャリアは、電子信号、光信号、無線信号、またはコンピュータ可読記憶媒体のうちの１つである。
【００２４】
上記で説明した実施形態のいずれかは、以下で説明する特徴のうちの１つまたは複数をさらに備え得る。
【００２５】
本開示の態様は、例として示されており、同様の参照符号が同様の要素を示す添付図によって限定されるものではない。一般に、図面中の参照番号が文字記号を備えるとき、示された要素の特定のインスタンスの説明は適切な対応する文字記号を使用する（たとえば、ＲＡＮノード１４０ａ）。しかしながら、文字記号は、示されている内容を総称的に指すために省略される（たとえば、特定のＲＡＮノード１４０ａ、１４０ｂの説明ではなく、一般にＲＡＮノード１４０の説明）。
【図面の簡単な説明】
【００２６】
【図１】本開示の１つまたは複数の実施形態による、例示的なネットワークノードを示す概略ブロック図である。
【図２】本開示の１つまたは複数の実施形態による、例示的なネットワーク環境を示す概略ブロック図である。
【図３】本開示の１つまたは複数の実施形態による、例示的な方法を示す流れ図である。
【図４】本開示の１つまたは複数の実施形態による、例示的な方法を示す流れ図である。
【図５】本開示の１つまたは複数の実施形態による、例示的なネットワークノードを示す概略ブロック図である。
【図６】本開示の１つまたは複数の実施形態による、例示的なネットワークノードを示す概略ブロック図である。
【図７】本開示の１つまたは複数の実施形態による、例示的なシグナリング交換を示すシグナリング図である。
【発明を実施するための形態】
【００２７】
以下の開示の理解を明快にするために、項目の接続的リスト「のうちの１つ」（たとえば、「ＡおよびＢのうちの１つ」）が説明される限り、本開示は、リスト中の項目のうちの１つ（両方ではない）を指す（たとえば、ＡまたはＢであるが、ＡとＢの両方ではない）。そのようなフレーズは、リスト項目の各々の１つ（たとえば、１つのＡおよび１つのＢ）を指さず、またはそのようなフレーズは、リスト中の単一の項目のただ１つ（たとえば、ただ１つのＡ、またはただ１つのＢ）を指さない。同様に、項目の接続的リスト「のうちの少なくとも１つ」が説明される限り（そのようなリスト「のうちの１つまたは複数」についても同様に）、本開示は、リスト中の任意の項目、またはリスト中の項目の任意の組合せ（たとえば、Ａのみ、Ｂのみ、またはＡとＢの両方）を指す。そのようなフレーズは、リスト中の項目の各々の少なくとも１つ（たとえば、Ａのうちの少なくとも１つおよびＢのうちの少なくとも１つ）を指さない。
【００２８】
現在、たとえば、３ＧＰＰ仕様ＴＳ３８．４１３によって識別されるＵＥ関連の論理接続のためのＡＰ  ＩＤに関係するエラーケースのうちの１つまたは複数に関する１つまたは複数の課題が存在する。そのようなエラーケースは、その中で説明されるＡ１、Ａ２、Ａ３、およびＡ４エラーケースを含み得る。特に、ローカルＡＰ  ＩＤ上のノードルーティングにおいてエラーケースＡ１および／またはＡ２を検出するために必要な検査を行うためのコストはかなり高くなり得、指定されたＡＰ  ＩＤ処理を実行するための実装が性能に悪影響を及ぼし得る。１つまたは複数の他のエラーケースが、追加または代替として、性能に悪影響を及ぼし得る。
【００２９】
Ａ１エラーケースは、ノードが、誤ったリモートＡＰ  ＩＤを含む第１のメッセージを受信したときに起こり得る。たとえば、Ａ１エラーケースは、ＡＰ  ＩＤが同じピアノードのための別のＵＥのために使用されたときに起こり得る。
【００３０】
Ａ２エラーケースは、ノードが、同じピアノードのための別のＵＥ関連の論理接続のために前に記憶されたリモートＡＰ  ＩＤを含む「第１の返信メッセージ」を受信したときに起こり得る。
【００３１】
Ａ３エラーケースは、ノードが、一貫性のないＡＰ  ＩＤペアを含む「第１の返信メッセージ」を受信したときに起こり得る。たとえば、Ａ３エラーケースは、ローカルＡＰ  ＩＤが知られていないとき、またはすでに別のＵＥ関連の論理接続に割り当てられているときに起こり得る。
【００３２】
Ａ４エラーケースは、ノードが、同じ次世代（ＮＧ）インターフェースのための、ノードに知られていない論理接続を識別するＡＰ  ＩＤを含む（たとえば、第１のメッセージまたは第１の返信メッセージ以外の）メッセージを受信したときに起こり得る。
【００３３】
本開示のいくつかの態様およびそれらの実施形態は、これらの課題または他の課題への解決策を与え得る。いくつかの実施形態では、ＵＥ関連の論理接続のためのＡＰ  ＩＤを処理することは、メッセージを受信するノードは、ローカルＡＰ  ＩＤ（ある場合）が知られているかどうかを検査し、メッセージ（ある場合）中のリモートＡＰ  ＩＤを、シグナリング接続が確立されたリモートＡＰ  ＩＤとの一貫性について検査するのみである。したがって、受信ノードは、たとえば、同じピアノードのためのリモートノードによって割り当てられたＡＰ  ＩＤの一意性を検査することを控える。いくつかの実施形態では、これにより、特に、ＵＥコンテキストを管理するエンティティが分配される実施形態において、コスト効率の良いおよび／または性能効率の良い、ＵＥ関連の論理接続のためのＡＰ  ＩＤ処理が可能になる。
【００３４】
いくつかの実施形態は、たとえば、以下の技術的利点のうちの１つまたは複数を与え得る。特に、ＮＧ−ＲＡＮノードの実施形態は、メッセージ中のＲＡＮ  ＵＥ  ＮＧＡＰ  ＩＤを使用して、ＮＧインターフェース上で受信されたメッセージを効率的にルーティングし得る。追加または代替として、ＵＥコンテキストを管理するエンティティが分配される実施形態では、リモートＡＰ  ＩＤを検査する複雑さが低減され得る。追加または代替として、ＵＥコンテキストが記憶された宛先においてエラー検査を実行することは、計算上より容易であり得る。実施形態は１つまたは複数の他の利点を与え得る。
【００３５】
図１は、通信ネットワーク（図示せず）における例示的なネットワークノード３００ａ、３００ｂを示す。以下で（たとえば、図７に関して）さらに詳細に説明するように、ネットワークノード３００ａ、３００ｂの一方は送信ノードと見なされ得、他方は受信ノードと見なされ得る。ネットワークノード３００ａ、３００ｂは、ネットワークノード３００ａとネットワークノード３００ｂとの間のインターフェース上で互いに通信する。
【００３６】
ネットワークノード３００ａ、３００ｂは、ＵＥコンテキストに関する情報を交換し、および／またはＵＥコンテキストを管理する。実施形態によれば、ＵＥコンテキストは、アクティブＵＥに関連する情報のブロックである。情報のブロックは、たとえば、アクティブＵＥに向けたアクセスネットワークサービスを維持するために必要とされる情報を備え得る。そのような情報は、たとえば、たとえばネットワークノード３００ａとネットワークノード３００ｂとの間のＵＥ関連の論理接続の、状態情報、セキュリティ情報、機能情報、および／または識別情報を含み得る。ＵＥコンテキストは、たとえば、ＵＥがアクティブ状態への遷移を完了したときに、またはハンドオーバ準備中のハンドオーバリソース割り当ての完了後に確立され得る。
【００３７】
図２は、たとえば、上記で説明したように情報を交換するネットワークノード３００ａ、３００ｂを含み得る例示的なネットワーク環境１００を示す。例示的なネットワーク環境１００は、コアネットワークノード１３０と、ＲＡＮノード１４０ａと、ＲＡＮノード１４０ｂと、ＵＥ１５０とを含む。ネットワーク環境１００の他の例では、その中に示されている要素の量が異なり得る。特定の実施形態によれば、ＲＡＮノード１４０ａは送信ノードであり得、ＲＡＮノード１４０ｂまたはコアネットワークノード１３０のいずれかは（たとえば、図７に関して以下で説明するように）受信ノードであり得る。他の実施形態によれば、ＲＡＮノード１４０ａ、１４０ｂおよびコアネットワークノード１３０のいずれかは送信ノードまたは受信ノードのいずれかであり得る。
【００３８】
コアネットワークノード１３０は、インターフェース上で（たとえば、適切なシグナリングおよび／またはメッセージングを介して）ＲＡＮノード１４０と通信する。この例では、コアネットワークノード１３０とＲＡＮノード１４０ａ、１４０ｂの各々との間のインターフェースはＮＧＡＰインターフェースである。コアネットワークノード１３０の例は、（限定しないが）アクセスおよびモビリティ管理機能（ＡＭＦ）と、ＭＭＥとを含む。ＲＡＮノード１４０の例は、（限定しないが）ＮＧ−ＲＡＮノードと、ｅＮＢと、ｇＮＢとを含む。
【００３９】
ＲＡＮノード１４０ａ、１４０ｂはまた、（たとえば、適切なシグナリングおよび／またはメッセージングを介して）インターフェース上で互いと通信する。この例では、ＲＡＮノード１４０ａとＲＡＮノード１４０ｂとの間のインターフェースはＸＮＡＰインターフェースである。
【００４０】
ＲＡＮノード１４０はまた、（たとえば、適切なシグナリングおよび／またはメッセージングを介して）無線インターフェース上でＵＥ１５０と互いに通信する。この例では、無線インターフェースは、ＲＡＮノード１４０からＵＥ１５０への送信を搬送するためのアップリンクと、ＵＥ１５０からＲＡＮノード１４０への送信を搬送するためのダウンリンクとを備える。ＵＥの例は、（限定しないが）パーソナルコンピュータ、ラップトップコンピュータ、デスクトップコンピュータ、ワークステーション、スマートフォン、タブレットコンピュータ、ウェアラブルコンピュータ、および／またはスマートアプライアンスを含む。いくつかの実施形態では、ＵＥ１５０は、モバイルであり、たとえば、ＵＥがＲＡＮノード１４０ａ、１４０ｂに対して移動する際に、時間とともにＲＡＮノード１４０ａ、１４０ｂのいずれかもしくは両方と通信するか、またはどちらとも通信しないことがある。
【００４１】
図３は、特定の実施形態による、ネットワークノード３００ａによって実行されるメッセージ有効性確認の方法２００を示す。方法２００は、ネットワークノード３００ａとさらなるネットワークノード３００ｂとの間のインターフェース上で、それぞれネットワークノード３００ａおよびさらなるネットワークノード３００ｂに対するインターフェース上のユーザ機器（ＵＥ）識別のためのペアにされたＵＥ識別子を備えるメッセージを受信することを含む（ブロック２１０）。方法２００は、ネットワークノード３００ａに対するＵＥ識別のための識別子がネットワークノード３００ａに対してＵＥ１５０を一意に識別することを決定したことに応答して、さらなるネットワークノード３００ｂに対するＵＥ識別のための識別子がさらなるネットワークノード３００ｂに対してそのＵＥ１５０を一意に識別するかどうかとは無関係に、メッセージの有効性を確認することをさらに含む（ブロック２２０）。
【００４２】
図４は、特定の実施形態による、ネットワークノード３００ａによって実行されるエラー検出の方法２３０を示す。方法２３０は、ネットワークノード３００ａとさらなるネットワークノード３００ｂとの間のインターフェース上で、それぞれネットワークノード３００ａおよびさらなるネットワークノード３００ｂに対するインターフェース上のＵＥ識別のためのペアにされたＵＥ識別子を備えるメッセージを受信することを含む（ブロック２４０）。方法２３０は、さらなるネットワークノード３００ｂに対するＵＥ識別のための識別子がさらなるネットワークノード３００ｂに対してＵＥ１５０を一意に識別するかどうかとは無関係に、ネットワークノード３００ａに対するＵＥ識別のための識別子がネットワークノード３００ａに対してＵＥ１５０を一意に識別することができないことを決定したこと、および、ペアにされたＵＥ識別子がネットワークノード３００ａに知られている論理ＵＥ接続を一緒に識別することができないことを決定したことのうちの少なくとも１つに応答して、メッセージが無効であることを決定することをさらに含む（ブロック２５０）。
【００４３】
上記で説明した装置（たとえば、ネットワークノード３００）は、任意の機能的手段、モジュール、ユニット、または回路（ｃｉｒｃｕｉｔｒｙ）を実装することによって、本明細書の方法および他の処理を実行し得ることに留意されたい。一実施形態では、たとえば、装置は、方法図に示されたステップを実行するように設定されたそれぞれの回路（ｃｉｒｃｕｉｔ）または回路（ｃｉｒｃｕｉｔｒｙ）を備える。回路（ｃｉｒｃｕｉｔ）または回路（ｃｉｒｃｕｉｔｒｙ）は、この点において、何らかの機能的処理を実行するために専用の回路、および／またはメモリと連動する１つまたは複数のマイクロプロセッサを備え得る。たとえば、回路（ｃｉｒｃｕｉｔｒｙ）は、１つまたは複数のマイクロプロセッサまたはマイクロコントローラ、ならびに、デジタル信号プロセッサ（ＤＳＰ）、専用デジタル論理などを含み得る、他のデジタルハードウェアを含み得る。処理回路（ｃｉｒｃｕｉｔｒｙ）は、読取り専用メモリ（ＲＯＭ）、ランダムアクセスメモリ、キャッシュメモリ、フラッシュメモリデバイス、光記憶デバイスなど、１つまたはいくつかのタイプのメモリを含み得る、メモリ中に記憶されたプログラムコードを実行するように設定され得る。メモリ中に記憶されたプログラムコードは、いくつかの実施形態では、１つまたは複数の通信および／またはデータ通信プロトコルを実行するためのプログラム命令、ならびに本明細書で説明した技法のうちの１つまたは複数を実行するための命令を含み得る。メモリを採用する実施形態では、メモリは、１つまたは複数のプロセッサによって実行されたとき、本明細書で説明した技法を実行するプログラムコードを記憶する。
【００４４】
図５は、１つまたは複数の実施形態に従って実装されたネットワークノード３００（たとえば、図２に示された例示的なネットワーク環境１００におけるＲＡＮノード１４０またはコアネットワークノード１３０）を示す。図示のように、ネットワークノード３００は処理回路３１０と通信回路３２０とを含む。通信回路３２０は、たとえば、任意の通信技術を介して、１つまたは複数の他のノードに情報を送信し、および／または１つまたは複数の他のノードから情報を受信するように設定される。処理回路３１０は、メモリ３３０中に記憶された命令を実行することなどによって、上記で説明した処理を実行するように設定される。処理回路３１０は、この点において、いくつかの機能的手段、ユニット、またはモジュールを実装し得る。
【００４５】
図６は、さらに他の実施形態による無線ネットワークにおけるネットワークノード３００（たとえば、図２に示された例示的なネットワーク環境１００におけるＲＡＮノード１４０またはコアネットワークノード１３０）の概略ブロック図を示す。図示のように、ネットワークノード３００は、たとえば、図５における処理回路３１０を介して、および／またはソフトウェアコードを介して、様々な機能的手段、ユニット、またはモジュールを実装する。たとえば、本明細書の方法を実装するためのこれらの機能的手段、ユニット、またはモジュールは、たとえば、受信ユニット４１０と有効性確認ユニット４２０とを含む。
【００４６】
受信ユニット４１０は、ネットワークノード３００ａとさらなるネットワークノード３００ｂとの間のインターフェース上で、それぞれネットワークノード３００ａおよびさらなるネットワークノード３００ｂに対するインターフェース上のユーザ機器（ＵＥ）識別のためのペアにされたＵＥ識別子を備えるメッセージを受信するように設定される。
【００４７】
いくつかの実施形態では、有効性確認ユニット４２０は、ネットワークノード３００ａに対するＵＥ識別のための識別子がネットワークノード３００ａに対してＵＥ１５０を一意に識別することを決定したことに応答して、さらなるネットワークノード３００ｂに対するＵＥ識別のための識別子がさらなるネットワークノード３００ｂに対してそのＵＥ１５０を一意に識別するかどうかとは無関係に、メッセージの有効性を確認するように設定される。
【００４８】
いくつかの実施形態では、有効性確認ユニット４２０は、代替的に、さらなるネットワークノード３００ｂに対するＵＥ識別のための識別子がさらなるネットワークノード３００ｂに対してＵＥ１５０を一意に識別するかどうかとは無関係に、ネットワークノード３００ａに対するＵＥ識別のための識別子がネットワークノード３００ａに対してＵＥ１５０を一意に識別することができないことを決定したこと、および、ペアにされたＵＥ識別子がネットワークノード３００ａに知られている論理ＵＥ接続を一緒に識別することができないことを決定したことのうちの少なくとも１つに応答して、メッセージが無効であることを決定するように設定される。
【００４９】
当業者はまた、本明細書の実施形態が、対応するコンピュータプログラムをさらに含むことを諒解しよう。
【００５０】
コンピュータプログラムは、ネットワークノード３００の少なくとも１つのプロセッサ上で実行されたとき、ネットワークノード３００に上記で説明したそれぞれの処理のいずれかを実行させる命令を備える。コンピュータプログラムは、この点において、上記で説明した手段またはユニットに対応する１つまたは複数のコードモジュールを備え得る。
【００５１】
実施形態は、そのようなコンピュータプログラムを含んでいるキャリアをさらに含む。このキャリアは、電子信号、光信号、無線信号、またはコンピュータ可読記憶媒体のうちの１つを備え得る。
【００５２】
この点において、本明細書の実施形態はまた、非一時的コンピュータ可読（記憶または記録）媒体に記憶され、装置のプロセッサによって実行されたとき、装置に、上記で説明したように実行させる命令を備える、コンピュータプログラム製品を含む。
【００５３】
実施形態は、コンピュータプログラム製品が計算デバイスによって実行されたときに、本明細書の実施形態のいずれかのステップを実行するためのプログラムコード部分を備えるコンピュータプログラム製品をさらに含む。このコンピュータプログラム製品はコンピュータ可読記録媒体に記憶され得る。
【００５４】
次に、追加の実施形態について説明する。これらの実施形態のうちの少なくともいくつかは、説明の目的で、いくつかのコンテキストおよび／または無線ネットワークタイプにおいて適用可能であるとして説明され得るが、実施形態は、明示的に説明されない他のコンテキストおよび／または無線ネットワークタイプにおいて同様に適用可能である。
【００５５】
前に説明したように、本開示の実施形態は、ＵＥ関連の論理接続のためのリモートＡＰ  ＩＤの一意性の検査を控える。代わりに、メッセージを受信するノードは、ローカルＡＰ  ＩＤが知られているかどうかを検査し、リモートＡＰ  ＩＤを受信するノードは、リモートＡＰ  ＩＤが、シグナリング接続が確立されたリモートＡＰ  ＩＤに一致するかどうかを検査するのみである。
【００５６】
図７は、（上記で説明したように、各々がネットワークノード３００であり得る）送信ノード１１０と受信ノード１２０との間で交換される例示的なメッセージングを示す。交換されるメッセージングは、第１のメッセージ５１０と、第１の返信メッセージ５２０と、最後のメッセージ５３０とを含む。第１のメッセージ５１０、第１の返信メッセージ５２０、および最後のメッセージ５３０はＵＥ関連の論理接続に関係する。第１のメッセージ５１０は、送信ノード１１０にとって「ローカル」である送信ノード１１０からの新しいＡＰ  ＩＤを備える。すなわち、第１のメッセージ中の新しいＡＰ  ＩＤは、送信ノード１１０と受信ノード１２０との間のインターフェース上で送信ノード１１０に対してＵＥ１５０を一意に識別する。第１の返信メッセージ５２０は、第１のメッセージ５１０に応答して受信ノード１２０によって送信ノード１１０に送られる初期メッセージである。第１の返信メッセージ５２０は、受信ノード１２０にとって「ローカル」である受信ノード１２０からの新しいＡＰ  ＩＤを備える。すなわち、受信ノード１２０によって与えられた新しいＡＰ  ＩＤは、送信ノード１１０と受信ノード１２０との間のインターフェース上で受信ノード１２０に対してＵＥ１５０を一意に識別する。その後、２つのＡＰ  ＩＤ（すなわち、送信ノード１１０によって割り当てられたＡＰ  ＩＤおよび受信ノード１２０によって割り当てられたＡＰ  ＩＤ）は、本明細書によって別段に許容されない限り、ＵＥ関連の論理接続上でメッセージ中に含まれる。最後のメッセージ５３０は、同じ接続のための他のメッセージがいずれの方向においても予想されないように、所与のＵＥ関連の論理接続の終了を完了するために、送信ノード１１０または受信ノード１２０のいずれかによって他方に送られるメッセージである。
【００５７】
交換の全体にわたって、実施形態によれば、ネットワークノード３００ａが、知られていない「ローカル」ＡＰ  ＩＤ、または、その「ローカル」ＡＰ  ＩＤに一致しないリモートＡＰ  ＩＤを含むメッセージを受信した（すなわち、知られているローカルＡＰ  ＩＤは、これまでリモートノードによって使用されなかったリモートＡＰ  ＩＤと一緒に与えられる）場合、ネットワークノード３００ａはエラーを検出する（たとえば、メッセージが無効であることを決定する）。応答して、エラーを検出したネットワークノード３００ａは、適切な原因値を、たとえば、他のネットワークノード３００ｂに示す、エラー指示プロシージャを開始し得る。
【００５８】
特定の実施形態によれば、エラーを検出したことに応答して、このメッセージがこのＵＥ関連の論理接続のための第１のメッセージ５１０でも最後のメッセージ５３０でもない場合、受信ノード３００ｂは、送信ノード３００ａから受信されたＡＰ  ＩＤと適切な原因値とを含むこととともにエラー指示プロシージャを開始する。さらに、ネットワークノード３００ａ、３００ｂの各々は、そのノードにとってローカルであるそのＡＰ  ＩＤを識別子として有する（同じＮＧインターフェースのための）任意の確立されたＵＥ関連の論理接続のローカル解放を開始する。
【００５９】
代替的に、このメッセージがこのＵＥ関連の論理接続のための最後のメッセージ５３０である場合、受信ノード３００ｂは、受信ノード３００ｂにとってローカルであるそのＡＰ  ＩＤを識別子として有する（同じＮＧインターフェースのための）任意の確立されたＵＥ関連の論理接続のローカル解放を開始する。
【００６０】
新しい失敗原因値が、上記で説明したＡＰ  ＩＤ処理を反映する。そのような失敗原因値は、たとえば、３ＧＰＰ  ＴＳ３８．４１３およびＴＳ３８．４２３によって指定された失敗原因値に導入され得る。
【００６１】
本開示の実施形態は、ネットワークノード３００ａとネットワークノード３００ｂとの間のインターフェース上でメッセージを受信したネットワークノード３００ａがそのピアのためのリモートＡＰ  ＩＤの一意性を検査しなくてもよいように、ＵＥ関連の論理接続のための一意のＡＰ  ＩＤを割り当てることを担当すべきネットワークノード３００ａ、３００ｂに依拠する。
【００６２】
次に特定のメッセージの処理に関してさらなる詳細を見ると、いくつかの実施形態では、第１のメッセージ５１０を受信した受信ノード１２０が、第１のメッセージ５１０中の送信ノード１１０によって指定されたリモートＡＰ  ＩＤ値を受け取り、受信ノード１２０のローカルＡＰ  ＩＤを第１の応答メッセージ５２０中で送信ノード１１０に返信する。上記で説明したように、送信ノード１１０および受信ノード１２０は、ネットワークノード３００ａ、３００ｂであり、それぞれ、各ノードが割り当てたＡＰ  ＩＤ（ローカルＡＰ  ＩＤ）が、受信されたメッセージ中で知られているかどうかを検査する。ＡＰ  ＩＤが知られていない場合、失敗原因は、（たとえば、送信ノード１１０と受信ノード１２０との間のインターフェースがＮＧＡＰインターフェースであるとすれば）「Ｕｎｋｎｏｗｎ  Ｌｏｃａｌ  Ｎｏｄｅ  ＵＥ  ＮＧＡＰ  ＩＤ（知られていないローカルノードＵＥ  ＮＧＡＰ  ＩＤ）」であり得る。ＡＰ  ＩＤが知られている場合、ネットワークノード３００は、リモートＡＰ  ＩＤに一貫性があるかどうかを検査する。一貫性がない場合、失敗原因は、（たとえば、関連があるインターフェースがＮＧＡＰインターフェースであるとすれば）「Ｉｎｃｏｎｓｉｓｔｅｎｔ  Ｒｅｍｏｔｅ  Ｎｏｄｅ  ＵＥ  ＮＧＡＰ  ＩＤ（一貫性のないリモートノードＵＥ  ＮＧＡＰ  ＩＤ）」であり得る。
【００６３】
特に、Ｕｎｋｎｏｗｎ  Ｌｏｃａｌ  Ｎｏｄｅ  ＵＥ  ＮＧＡＰ  ＩＤ失敗原因は、メッセージを受信したネットワークノード３００が、その中に含まれるローカルノードＵＥ  ＮＧＡＰ  ＩＤを認識しなかったので、動作が失敗したことを示し得る。Ｉｎｃｏｎｓｉｓｔｅｎｔ  Ｒｅｍｏｔｅ  Ｎｏｄｅ  ＵＥ  ＮＧＡＰ  ＩＤ失敗原因は、メッセージを受信したネットワークノード３００がリモートノードＵＥ  ＮＧＡＰ  ＩＤに一貫性がない（たとえば、ローカルノードＵＥ  ＮＧＡＰ  ＩＤと一致しない）と見なしたので、動作が失敗したことを示し得る。これらの２つの原因コードは、たとえば、ＴＳ３８．４１３、チャプター９．３．１．２に記載されている原因コードに追加され得る。
【００６４】
同様の原因コードも、ＸｎＡＰインターフェースなど、他のインターフェースのために与えられ得る。たとえば、原因コードＵｎｋｎｏｗｎ  Ｌｏｃａｌ  ＮＧ−ＲＡＮ  Ｎｏｄｅ  ＵＥ  ＸｎＡＰ  ＩＤ（知られていないローカルＮＧ−ＲＡＮノードＵＥ  ＸｎＡＰ  ＩＤ）は、メッセージを受信したネットワークノード３００がローカルＮＧ−ＲＡＮノードＵＥ  ＸｎＡＰ  ＩＤを認識しなかったので、動作が失敗したことを示し得る。原因コードＩｎｃｏｎｓｉｓｔｅｎｔ  Ｒｅｍｏｔｅ  ＮＧ−ＲＡＮ  Ｎｏｄｅ  ＵＥ  ＸｎＡＰ  ＩＤ（一貫性のないリモートＮＧ−ＲＡＮノードＵＥ  ＸｎＡＰ  ＩＤ）は、ネットワークノード３００が、受信されたリモートＮＧ−ＲＡＮノードＵＥ  ＸｎＡＰ  ＩＤに一貫性がないと見なしたので、動作が失敗したことを示し得る。これらの２つの原因コードは、たとえば、ＴＳ３８．４２３において指定された原因コードに追加され得る。
【００６５】
上記のすべて、ならびに以下の開示に鑑みて、ＴＳ３８．４１３は、たとえば、ＡＰ  ＩＤ処理に関係するチャプター１０．６において、以下の文言を含むように更新または修正され得る。
注：以下で使用される「第１のメッセージ」、「第１の返信メッセージ」および「最後のメッセージ」は、ＵＥ関連の論理接続のためのメッセージに対応する。「第１のメッセージ」は、「第１のメッセージ」を送るノードにとって「ローカル」ＡＰ  ＩＤである、送信ノードからの新しいＡＰ  ＩＤを有し、「第１の返信メッセージ」は、「第１の返信メッセージ」を送るノードにとって「ローカル」ＡＰ  ＩＤである、「第１の返信メッセージ」を送るノードからの新しいＡＰ  ＩＤを有する第１の応答メッセージである。その後、２つのＡＰ  ＩＤは、本明細書によって別段に許容されない限り、ＵＥ関連の論理接続上ですべてのメッセージ中に含まれる。「最後のメッセージ」は、同じ接続のための他のメッセージがいずれの方向においても予想されないように、所与のＵＥ関連の論理接続の終了を完了するために、ノードによって送られるメッセージである。
ノードが、知られていないローカルＡＰ  ＩＤ、または一貫性がないリモートＡＰ  ＩＤを含むメッセージを受信した（すなわち、知られているローカルＡＰ  ＩＤが、これまでリモートノードによって使用されなかったリモートＡＰ  ＩＤと一緒に与えられた）場合、
−  このメッセージがこのＵＥ関連の論理接続のための第１のメッセージでも最後のメッセージでもない場合、受信ノードは、ピアノードから受信されたＡＰ  ＩＤと適切な原因値とを含むこととともにエラー指示プロシージャを開始する。各ノードは、ノードにとってローカルであるそのＡＰ  ＩＤを識別子として有する（同じＮＧインターフェースのための）任意の確立されたＵＥ関連の論理接続のローカル解放を開始する。
−  このメッセージがこのＵＥ関連の論理接続のための最後のメッセージである場合、受信ノードは、受信ノードにとってローカルであるそのＡＰ  ＩＤを識別子として有する（同じＮＧインターフェースのための）任意の確立されたＵＥ関連の論理接続のローカル解放を開始する。
【００６６】
本明細書で説明した主題は、任意の好適な構成要素を使用して任意の適切なタイプのシステムにおいて実装され得るが、本明細書で開示された実施形態は、図２に示された例示的なネットワーク環境など、無線ネットワークに関して説明される。図２の無線ネットワークは、コアネットワークノード１３０、２つのＲＡＮノード１４０ａ、１４０ｂ、およびＵＥ１５０を示すのみであるが、実際には、そのようなネットワークは、固定電話、サービスプロバイダ、または任意の他のネットワークノードもしくはエンドデバイスなど、たとえば、無線デバイス間の通信、または無線デバイスと別の通信デバイスとの間の通信をサポートするために好適な任意の追加の要素をさらに含み得る。したがって、様々な実施形態のネットワークは、ネットワークへの無線デバイスのアクセス、および／またはネットワークによってもしくはネットワークを介して与えられるサービスの使用を可能にするために、１つまたは複数の無線デバイスに通信および他のタイプのサービスを与え得る。
【００６７】
ネットワークは、任意のタイプの通信、通信、データ、セルラー、および／または無線ネットワークもしくは他の同様のタイプのシステムを備え、および／またはそれらとインターフェースし得る。いくつかの実施形態では、ネットワークは、特定の規格または他のタイプの事前定義されたルールもしくはプロシージャに従って動作するように設定され得る。したがって、ネットワークの特定の実施形態は、モバイル通信用グローバルシステム（ＧＳＭ）、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、Ｌｏｎｇ−Ｔｅｒｍ  Ｅｖｏｌｕｔｉｏｎ（ＬＴＥ）、狭帯域モノのインターネット（ＮＢ−ＩｏＴ）、および／もしくは他の好適な２Ｇ、３Ｇ、４Ｇ、もしくは５Ｇ規格などの通信規格、ＩＥＥＥ８０２．１１規格などの無線ローカルエリアネットワーク（ＷＬＡＮ）規格、ならびに／または、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、Ｂｌｕｅｔｏｏｔｈ、Ｚ−Ｗａｖｅ、および／もしくはＺｉｇＢｅｅ規格など、任意の他の適切な無線通信規格を実装し得る。
【００６８】
ネットワークは、１つまたは複数のバックホールネットワーク、コアネットワーク、インターネットプロトコル（ＩＰ）ネットワーク、公衆交換電話網（ＰＳＴＮ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、有線ネットワーク、無線ネットワーク、メトロポリタンエリアネットワーク、およびデバイス間の通信を可能にするための他のネットワークを備え得る。
【００６９】
本明細書で説明した様々な構成要素は、無線ネットワークにおいて無線接続を与えることなど、ネットワークノードおよび／または無線デバイス機能を与えるために一緒に動作し得る。異なる実施形態では、ネットワークは、任意の数の有線もしくは無線ネットワーク、ネットワークノード、基地局、コントローラ、無線デバイス、リレー局、ならびに／または、有線接続を介してでも無線接続を介してでも、データおよび／もしくは信号の通信を可能にするか、もしくはその通信に参加し得る他の構成要素もしくはシステムを備え得る。
【００７０】
本明細書で使用する際、ネットワークノード３００は、無線デバイスへの無線アクセスを可能にし、および／もしくは無線アクセスを与えるために、ならびに／または無線ネットワークにおける他の機能（たとえば、管理）を実行するために、無線デバイスと、および／または無線ネットワーク中の他のネットワークノードもしくは機器と直接または間接的に通信することが可能な、そのように通信するように設定された、構成された、および／または動作可能な機器を指す。ネットワークノードの例は、限定はしないが、アクセスポイント（ＡＰ）（たとえば、無線アクセスポイント）、基地局（ＢＳ）（たとえば、無線基地局、ノードＢ、エボルブドノードＢ（ｅＮＢ）および新無線（ＮＲ）ノードＢ（ｇＮＢ））を含む。基地局は、それらが与えるカバレージの量（または、別の言い方をすれば、それらの送信電力レベル）に基づいて分類され得、そして、フェムト基地局、ピコ基地局、マイクロ基地局、またはマクロ基地局とも呼ばれ得る。基地局は、リレーを制御するリレーノードまたはリレードナーノードであり得る。ネットワークノードは、集中型デジタルユニット、および／またはリモート無線ヘッド（ＲＲＨ）と呼ばれることがあるリモートラジオユニット（ＲＲＵ）など、分散型無線基地局の１つもしくは複数の（またはすべての）部分をも含み得る。そのようなリモートラジオユニットは、アンテナ統合無線としてアンテナと統合されることもあり、統合されないこともある。分散型無線基地局の一部は、分散型アンテナシステム（ＤＡＳ）においてノードと呼ばれることもある。ネットワークノードのまたさらなる例は、ＭＳＲ  ＢＳなどのマルチスタンダード無線（ＭＳＲ）機器、無線ネットワークコントローラ（ＲＮＣ）または基地局コントローラ（ＢＳＣ）などのネットワークコントローラ、トランシーバ基地局（ＢＴＳ）、送信ポイント、送信ノード、マルチセル／マルチキャスト協調エンティティ（ＭＣＥ）、コアネットワークノード（たとえば、ＭＳＣ、ＭＭＥ）、オペレーションおよびメンテナンス（Ｏ＆Ｍ）ノード、オペレーションサポートシステム（ＯＳＳ）ノード、自己最適化ネットワーク（ＳＯＮ）ノード、測位ノード（たとえば、Ｅ−ＳＭＬＣ）、および／またはＭｉｎｉｍｉｚａｔｉｏｎ  ｏｆ  Ｄｒｉｖｅ  Ｔｅｓｔｓ（ＭＤＴ）を含む。別の例として、ネットワークノード３００は、以下でより詳細に説明するように、仮想ネットワークノードであり得る。より一般的には、しかしながら、ネットワークノード３００は、無線デバイスの無線ネットワークへのアクセスを可能にし、および／もしくは無線デバイスに無線ネットワークへのアクセスを与えるように、または、無線ネットワークにアクセスした無線デバイスに何らかのサービスを与えることが可能な、そのように設定された、配置された、および／または動作可能な任意の好適なデバイス（またはデバイスのグループ）を表し得る。
【００７１】
本明細書で開示した任意の適切なステップ、方法、特徴、機能、または利益は、１つもしくは複数の機能ユニットまたはモジュールを通して、たとえば、１つもしくは複数のマイクロプロセッサまたはマイクロコントローラを含み得る処理回路３１０、ならびにデジタル信号プロセッサ（ＤＳＰ）、専用デジタル論理などを含み得る他のデジタルハードウェアを介して実行され得る。処理回路は、読取り専用メモリ（ＲＯＭ）、ランダムアクセスメモリ（ＲＡＭ）、キャッシュメモリ、フラッシュメモリデバイス、光記憶デバイスなど、１つまたはいくつかのタイプのメモリを含み得る、メモリ３３０中に記憶されたプログラムコードを実行するように設定され得る。メモリ中に記憶されたプログラムコードは、１つもしくは複数の通信プロトコルおよび／またはデータ通信プロトコルを実行するためのプログラム命令、ならびに、本明細書で説明した技法のうちの１つまたは複数を実行するための命令を含む。いくつかの実装形態では、処理回路は、それぞれの機能ユニットに、本開示の１つまたは複数の実施形態による対応する機能を実行させるために使用され得る。
【００７２】
一般に、本明細書で使用されたすべての用語は、異なる意味が明らかに与えられ、および／またはそれが使用される文脈から暗示されるのでない限り、関連がある技術分野におけるそれらの用語の通常の意味に従って解釈されるべきである。要素、装置、構成要素、手段、ステップなどへのすべての参照は、別段に明記されていない限り、要素、装置、構成要素、手段、ステップなどの少なくとも１つのインスタンスを指すものとしてオープンに解釈されるべきである。本明細書で開示された任意の方法のステップは、ステップが別のステップに続くかもしくは先行するものとして明示的に説明されていない限り、および／またはステップが別のステップに続くかもしくは先行しなければならないことが暗黙的である場合、開示された厳密な順序で実行されなくてもよい。本明細書で開示されたいずれの実施形態のいずれの特徴も、適切な場合はいつでも、いずれの他の実施形態に適用され得る。同様に、いずれの実施形態のいずれの利点もいずれの他の実施形態に適用し得、その逆も同様である。添付の実施形態の他の目的、特徴および利点は説明から明らかになろう。
【００７３】
「ユニット」という用語は、エレクトロニクス、電気デバイスおよび／または電子デバイスの分野において従来の意味を有し得、たとえば、本明細書で説明したものなどのような、電気回路および／もしくは電子回路、デバイス、モジュール、プロセッサ、メモリ、論理ソリッドステートデバイスおよび／もしくはディスクリートデバイス、コンピュータプログラム、または、それぞれのタスク、プロシージャ、計算、出力および／もしくは表示機能などを実行するための命令を含み得る。
【００７４】
本明細書で企図された実施形態のうちのいくつかは、添付の図面を参照しながらより十分に説明された。他の実施形態は、しかしながら、本明細書で開示された主題の範囲内に含まれている。開示された主題は、本明細書に記載された実施形態のみに限定されるものと解釈されるべきでなく、むしろ、これらの実施形態は、当業者に主題の範囲を伝達するために例として与えられる。
【図１】
2021515452.tif 000003
【図２】
2021515452.tif 000004
【図３】
2021515452.tif 000005
【図４】
2021515452.tif 000006
【図５】
2021515452.tif 000007
【図６】
2021515452.tif 000008
【図７】
2021515452.tif 000009
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
ネットワークノード（３００ａ）によって実行されるメッセージ有効性確認の方法（２００）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信すること（２１０）と、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認すること（２２０）と
を含む方法。
【請求項２】
前記メッセージの有効性を確認することは、さらに、前記ペアにされた識別子が前記ネットワークノード（３００ａ）に知られている前記ＵＥ（１５０）の論理接続を一緒に識別することを決定したことに応答する、請求項１に記載の方法。
【請求項３】
前記ネットワークノード（３００ａ）が無線アクセスネットワークノード（１４０）である、請求項１または２に記載の方法。
【請求項４】
前記ネットワークノード（３００ａ）がコアネットワークノード（１３０）である、請求項１または２に記載の方法。
【請求項５】
前記さらなるネットワークノード（３００ｂ）が無線アクセスネットワークノード（１４０）である、請求項１から４のいずれか一項に記載の方法。
【請求項６】
前記さらなるネットワークノード（３００ｂ）がコアネットワークノード（１３０）である、請求項１から４のいずれか一項に記載の方法。
【請求項７】
ネットワークノード（３００ａ）によって実行されるエラー検出の方法（２３０）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信すること（２４０）と、
前記さらなるネットワークノード（３００ｂ）に対するＵＥ識別のための前記識別子が前記さらなるネットワークノード（３００ｂ）に対してＵＥ（１５０）を一意に識別するかどうかとは無関係に、
前記ネットワークノード（３００ａ）に対するＵＥ識別のための前記識別子が前記ネットワークノード（３００ａ）に対してＵＥ（１５０）を一意に識別することができないことを決定したこと、および
前記ペアにされたＵＥ識別子が前記ネットワークノード（３００ａ）に知られている論理ＵＥ接続を一緒に識別することができないことを決定したこと
のうちの少なくとも１つに応答して、前記メッセージが無効であることを決定すること（２５０）と
を含む方法。
【請求項８】
前記さらなるネットワークノード（３００ｂ）によって、前記ペアにされた識別子のうちの少なくとも１つによって識別されるＵＥ（１５０）の論理接続の解放をトリガするためのエラー指示プロシージャを開始することをさらに含む、請求項７に記載の方法。
【請求項９】
前記ペアにされたＵＥ識別子が前記ネットワークノード（３００ａ）に知られている前記論理ＵＥ接続を一緒に識別することができないことを決定したことに応答して、前記ネットワークノード（３００ａ）に対するＵＥ識別のための前記識別子によって識別されるＵＥ（１５０）の論理接続を解放することをさらに含む、請求項７または８に記載の方法。
【請求項１０】
前記ネットワークノード（３００ａ）が無線アクセスネットワークノード（１４０）である、請求項７から９のいずれか一項に記載の方法。
【請求項１１】
前記ネットワークノード（３００ａ）がコアネットワークノード（１３０）である、請求項７から９のいずれか一項に記載の方法。
【請求項１２】
前記さらなるネットワークノード（３００ｂ）が無線アクセスネットワークノード（１４０）である、請求項７から１１のいずれか一項に記載の方法。
【請求項１３】
前記さらなるネットワークノード（３００ｂ）がコアネットワークノード（１３０）である、請求項７から１１のいずれか一項に記載の方法。
【請求項１４】
ネットワークノード（３００ａ）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信することと、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認することと
を行うように設定されたネットワークノード（３００ａ）。
【請求項１５】
さらに、請求項２から６のいずれか一項に記載の方法（２００）を実行するように設定された、請求項１４に記載のネットワークノード。
【請求項１６】
ネットワークノード（３００ａ）であって、
前記ネットワークノード（３００ａ）とさらなるネットワークノード（３００ｂ）との間のインターフェース上で、それぞれ前記ネットワークノード（３００ａ）および前記さらなるネットワークノード（３００ｂ）に対する前記インターフェース上のユーザ機器（ＵＥ）識別のためのペアにされたＵＥ識別子を備えるメッセージを受信することと、
前記ネットワークノード（３００ａ）に対するＵＥ識別のための前記識別子が前記ネットワークノード（３００ａ）に対してＵＥ（１５０）を一意に識別することを決定したことに応答して、前記さらなるネットワークノード（３００ｂ）に対するＵＥ識別のための前記識別子が前記さらなるネットワークノード（３００ｂ）に対して前記ＵＥ（１５０）を一意に識別するかどうかとは無関係に、前記メッセージの有効性を確認することと
を行うように設定された、ネットワークノード（３００ａ）。
【請求項１７】
さらに、請求項８から１３のいずれか一項に記載の方法（２３０）を実行するように設定された、請求項１６に記載のネットワークノード（３００ａ）。
【請求項１８】
ネットワークノード（３００）の処理回路（３１０）上で実行されたとき、前記処理回路（３１０）に請求項１から１３のいずれか一項に記載の方法（２００、２３０）を実行させる命令を備える、コンピュータプログラム。
【請求項１９】
請求項１８に記載のコンピュータプログラムを含んでいるキャリアであって、電子信号、光信号、無線信号、またはコンピュータ可読記憶媒体のうちの１つであるキャリア。
【国際調査報告】
2021515452.tif 000010
2021515452.tif 000011
2021515452.tif 000012